(57)【特許請求の範囲】
【請求項１】
飲料カップからの液体の流量を制限するための挿入具であって、前記挿入具は、前記挿入具のまわりに円周状に延在する、第１の周辺端部及び前記第１の周辺端部から離隔された第２の周辺端部を有し、前記挿入具は更に、前記カップ内に含まれる液体よりも上であって且つ前記カップの縁よりも下において前記カップ内に前記挿入具を配置し、それにより前記挿入具の前記第１の周辺端部及び前記第２の周辺端部が前記カップの内面から所定の距離だけ離隔されるようにした装着手段を有し、使用者が前記挿入具に嵌合した前記カップの縁から飲むときに、前記縁への液体の流量が制限される、挿入具。
【請求項２】
前記挿入具が第１の向きで前記カップに配置されたときには、前記挿入具の前記第１の周辺端部が、前記カップの内面から第１の所定の距離だけ離隔されて、前記縁への液体の流量が第１の流量に制限され、前記挿入具が第２の向きで前記カップに配置されたときには、前記挿入具の前記第２の周辺端部が、前記カップの内面から第２の所定の距離だけ離隔されて、前記縁への液体の流量が第２の流量に制限される、請求項１に記載の挿入具。
【請求項３】
前記第１の周辺端部の半径は前記第２の周辺端部の半径よりも小さく、前記挿入具が第２の向きにあるときには、前記第２の周辺端部から前記カップの内面までの前記第２の所定の距離は、前記挿入具が第１の向きにあるときの前記第１の周辺端部から前記カップの内面までの前記第１の所定の距離よりも小さい、請求項２に記載の挿入具。
【請求項４】
前記装着手段は、前記カップの内面に装着可能な前記挿入具から延在する複数の隆起部を有する、請求項２又は３に記載の挿入具。
【請求項５】
前記装着手段は、前記カップの内面に回転可能に装着され、前記挿入具が第１の向きと第２の向きとの間で回転する回転軸を定義する、２つの径方向に対置された隆起部を有する、請求項４に記載の挿入具。
【請求項６】
前記挿入具が前記カップに配置されたときに、前記挿入具の回転軸のまわりの回転を制限するように、前記カップの内面に形成された位置決め隆起部に対して配置されるよう構成された、前記挿入具から延在する位置決め部を更に有する、請求項５に記載の挿入具。
【請求項７】
前記位置決め部は、前記第１の周辺端部又は前記第２の周辺端部から延在する、請求項６に記載の挿入具。
【請求項８】
前記挿入具が前記カップに配置されたときに、前記挿入具を第１の向きに配置するよう前記第１の周辺端部から延在する位置決め部と、前記挿入具が前記カップに配置されたときに、前記挿入具を第２の向きに配置するよう前記第２の周辺端部から延在する位置決め部と、を更に有する、請求項７に記載の挿入具。
【請求項９】
前記第１の周辺端部から延在する２つの径方向に対置された位置決め部と、前記第２の周辺端部から延在する２つの径方向に対置された位置決め部と、を更に有する、請求項８に記載の挿入具。
【請求項１０】
前記挿入具は２つの対置された面を更に有し、該面から前記第１の周辺端部及び前記第２の周辺端部が延在し、前記挿入具は更に、前記対置された面間に延在する前記挿入具を通るよう形成された排液口を有する、請求項１乃至９のいずれか一項に記載の挿入具。
【請求項１１】
飲料カップと、請求項１乃至１０のいずれか一項に記載の挿入具と、を有する飲料ビーカーであって、前記挿入具は、前記カップ内に含まれる液体よりも上であって且つ前記カップの縁よりも下において前記カップ内に配置された、飲料ビーカー。
【請求項１２】
前記カップは、前記カップに前記挿入具を装着するための装着手段を受容するように構成された、円周状に延在する窪みを有する、請求項１１に記載の飲料ビーカー。
【請求項１３】
前記カップは更に、円周状に延在する隆起部を有し、該隆起部に対して、前記挿入具の前記位置決め部が、前記カップにおける前記挿入具の回転軸のまわりの回転を制限するように配置可能である、請求項７を引用する場合の請求項１１に記載の飲料ビーカー。
【請求項１４】
前記挿入具が前記カップから取り外し可能である、請求項１１乃至１３のいずれか一項に記載の飲料ビーカー。
【発明の詳細な説明】
【技術分野】
【０００１】
本発明は、飲料カップのための挿入具に関する。特に、本発明は、飲料カップからの液体の流量を制限するための挿入具に関する。本発明はまた、挿入具を配置された飲料カップを有する飲料ビーカーに関する。
【背景技術】
【０００２】
乳幼児は、液体を飲むために哺乳瓶を使うことから通常の飲料カップを使うことに移行するときに、困難さを見出すことが一般的である。その結果の移行訓練段階はしばしば、カップのなかの液体がこぼれてしまうことをもたらす。一般に、移行段階の間は、乳幼児が通常の飲料カップを使うことを支援するために、シッパーカップ（sipper cup）が利用される。シッパーカップは排出口又は乳首が延在する蓋を利用し、該排出口又は乳首を通して、乳幼児は制御された速度で最小限のこぼれを伴って液体を飲むことが可能である。しかしながら、シッパーカップから飲む技法は、通常のコップから飲むこととは類似しておらず、斯かる手段は依然として、乳幼児が通常の蓋なしのカップから飲むことを訓練しない。それ故、シッパーカップと通常のコップとの間の、更なる移行段階を提供するニーズが存在する。
【０００３】
更に、子供は大人の行動を試し真似をする傾向があるため、通常の蓋なしのカップから飲むことにより類似した飲み体験を提供するニーズが存在する。
【０００４】
既知の方法のひとつは、弁構成を組み込んだ蓋を備えたカップの利用を含み、乳幼児が該カップから飲む際に該カップからの液体の流れを可能としつつ、こぼれを防ぐか又は限定する。しかしながら、斯かる既知のカップは、複雑な機構を持ち、通常の蓋なしのカップの外見を呈さない。
【発明の概要】
【発明が解決しようとする課題】
【０００５】
それ故、本発明の目的は、上述した問題をかなり軽減又は克服し、通常の蓋なしのカップから飲むことにより類似した態様で、カップ又はビーカーから液体を飲むことを可能とする器具を提供することにある。
【課題を解決するための手段】
【０００６】
従って、本発明は、飲料カップからの液体の流量を制限するための挿入具であって、前記挿入具は、前記カップ内に含まれる液体よりも上であって且つ前記カップの縁よりも下において前記カップ内に前記挿入具を配置し、それにより前記挿入具の周辺端部が前記カップの内面から所定の距離だけ離隔されるようにした装着手段を有し、使用者が前記挿入具に嵌合した前記カップの縁から飲むときに、前記縁への液体の流量が制限される、挿入具を提供する。
【０００７】
好適には、前記周辺端部は前記挿入具のまわりに円周状に延在する。
【０００８】
有利にも、前記周辺端部は第１の端部であり、前記挿入具は更に、前記第１の端部から離隔された第２の周辺端部を有し、前記挿入具が第１の向きで前記カップに配置されたときには、前記挿入具の前記第１の端部が、前記カップの内面から第１の所定の距離だけ離隔されて、前記縁への液体の流量が第１の流量に制限され、前記挿入具が第２の向きで前記カップに配置されたときには、前記挿入具の前記第２の端部が、前記カップの内面から第２の所定の距離だけ離隔されて、前記縁への液体の流量が第２の流量に制限される。
【０００９】
好適な実施例においては、前記第１の端部の半径は前記第２の端部の半径よりも小さく、前記挿入具が第２の向きにあるときには、前記第２の端部から前記カップの内面までの前記第２の所定の距離は、前記挿入具が第１の向きにあるときの前記第１の端部から前記カップの内面までの前記第１の所定の距離よりも小さい。
【００１０】
前記装着手段は、前記カップの内面に装着可能な前記挿入具から延在する複数の隆起部を有しても良い。
【００１１】
好適には、前記装着手段は、前記カップの内面に回転可能に装着され、前記挿入具が第１の向きと第２の向きとの間で回転する回転軸を定義する、２つの径方向に対置された隆起部を有する。
【００１２】
該挿入具は更に、前記挿入具が前記カップに配置されたときに、前記挿入具の回転軸のまわりの回転を制限するように、前記カップの内面に形成された位置決め隆起部に対して配置されるよう構成された、前記挿入具から延在する位置決め部を有する。
【００１３】
便利にも、前記位置決め部は、前記第１の端部又は前記第２の端部から延在する。
【００１４】
好適には、該挿入具は更に、前記挿入具が前記カップに配置されたときに、前記挿入具を第１の向きに配置するよう前記第１の端部から延在する位置決め部と、前記挿入具が前記カップに配置されたときに、前記挿入具を第２の向きに配置するよう前記第２の端部から延在する位置決め部と、を有する。
【００１５】
一実施例においては、該挿入具は更に、前記第１の端部から延在する２つの径方向に対置された位置決め部と、前記第２の端部から延在する２つの径方向に対置された位置決め部と、を有する。
【００１６】
該挿入具は２つの対置された面を更に有しても良く、該面から前記第１の端部及び前記第２の端部が延在し、前記挿入具は更に、前記対置された面間に延在する前記挿入具を通るよう形成された排液口を有しても良い。
【００１７】
本発明の他の態様によれば、飲料カップと挿入具とを有する飲料ビーカーであって、前記挿入具は、前記カップ内に含まれる液体よりも上であって且つ前記カップの縁よりも下において前記カップ内に配置された、飲料ビーカーが提供される。
【００１８】
好適には、前記カップは、前記カップに前記挿入具を装着するための装着手段を受容するように構成された、円周状に延在する窪みを有する。
【００１９】
便利にも、該カップは更に、円周状に延在する隆起部を有し、該隆起部に対して、前記挿入具の前記位置決め部が、前記カップにおける前記挿入具の回転軸のまわりの回転を制限するように配置可能である。
【００２０】
有利にも、前記挿入具が前記カップから取り外し可能である。
【００２１】
本発明の好適な実施例は、添付図面を参照しながら、単に例として、以下に説明される。
【図面の簡単な説明】
【００２２】
【図１】カップに配置された挿入具を備えた飲料ビーカーの斜視図を示す。
【図２】カップに配置された挿入具が示された、図１に示された飲料ビーカーの断面図を示す。
【図３】図１に示されたカップの斜視図を示す。
【図４】図１に示された挿入具の斜視図を示す。
【図５】図４に示された挿入具の側面図を示す。
【図６】図４に示された挿入具の断面側面図を示す。
【図７】図４に示された挿入具の平面図を示す。
【発明を実施するための形態】
【００２３】
図面を参照すると、図１及び２は、飲料カップ２と該カップ２に配置された挿入具３とを有する飲料ビーカー１を示す。カップ２は、基部４、外面５、及び上部開口端６を持つ。カップ２の外面５は凹面形であり、該カップは、カップ２の上端と下端との間の中間部で、狭い直径を持つ。カップ２の形状は、乳幼児がカップを落とすことを極力減らすよう、カップを適切に把持することを可能とする。カップ２の上部開口端６は、該開口のまわりに延在する円形の縁７を持ち、該縁が、ビーカー１の利用の間に液体が含まれるカップ２の空洞８に対する開口を定義する。
【００２４】
カップ２は、内殻９及び外殻１０を有する。外殻１０は、カップ２の外面５を定義し、カップの底部４において外向きに延在して安定な土台を形成し、それによりビーカー１がテーブル（図示されていない）のような平らな面上に安定して配置され得るようにする。内殻９は、外殻１０と一体的に形成され、液体を受容するための空洞８を定義する内面１２及び底面１３を持つ。カップ２の外殻１０の基部４は内殻１０の下に延在し、それにより、テーブルのような面（図示されていない）上に配置されたときに、内殻１０が該面に接触しないようにする。
【００２５】
カップ２は成形されたプラスチック材料から形成されるが、カップ２はいずれの適切な無毒材料から形成されても良いことは理解されるであろう。カップ２は、その中にあたたかい液体及び冷たい液体のいずれもを保持するよう形成される。内殻１０により定義されるカップ２の内面１２は、縁７から該内殻の下端へと収束し、カップから液体を飲むことを支援し、以下に詳細に説明されるように、挿入具３が広い開口端において挿入及び取り外しされることを可能とする。
【００２６】
円周状に延在する突起１４は、カップ２の縁７に近いが該縁からは離隔されたカップ２の内面１２に形成される。突起１４は、内面１２の上部から内向きに延在し、下向きに傾けられ、それにより突起１４の面が該上部の面１５と鈍角を成す。
【００２７】
円周状に延在する窪み１６は、カップの内面のまわりに延在して形成され、カップ２の縁７と円周状に延在する突起１４との間の内面１２に形成される。窪み１６は、カップ２の内面１２のまわりに円周状に延在する弓状に形成された表面を持ち、挿入具３から延在する装着隆起部１７の離れた端部を、該端部が該窪みに配置されるように、受容するよう構成される。
【００２８】
挿入具３は、カップが利用されるときに、カップ２の縁７の下に且つ該カップ２に含まれる液体の上に、カップ２の空洞８の上端に設置される。挿入具３は図４乃至７に示され、対向する第１の面１９と第２の面２０とを持つ円板１８を有する。第１の延長周縁２２は、円板１８の第１の面１９の周囲から直立して該円板のまわりに円周状に延在し、第２の延長周縁２３は、円板１８の第２の面２０の周囲から直立する。第１及び第２の延長周縁２２、２３の各々は、円板１８から外向きに延在し、互いからは離隔されて、該円板のまわりに延在する円周状に延在する窪み２４を定義する。
【００２９】
第１の面１９から遠位の第１の延長周縁２２の離れた周辺端部は、挿入具３の第１の周辺端部２５を定義し、該挿入具のまわりに延在する。第１の周辺端部２５は丸くされ、快適さを促進し、挿入具３の利用の結果としての怪我を防止する。第１の延長周縁２２の内面２６及び外面２７は、円板１８から延在し、第１の周辺端部２５へと収束する。
【００３０】
第２の面２０から遠位の第２の延長周縁２３の離れた周辺端部は、挿入具３の第２の周辺端部２８を定義し、該挿入具のまわりに延在する。第２の周辺端部２８は丸くされ、快適さを促進し、挿入具３の利用の結果としての怪我を防止する。第２の延長周縁２３の内面２９及び外面３０は、円板１８から延在し、第２の周辺端部２８へと収束する。
【００３１】
第１の周辺端部２５の半径は、以下に説明される理由により、第２の周辺端部２８の半径よりも小さい。
【００３２】
第１及び第２の延長周縁２３の内面２６及び２９は、それぞれ挿入具３の第１及び第２の中空部３２及び３３を定義する。排液口３４は、円板１８の第１の面１９と円板１８の第２の面２０との間の本体１８を通って形成され、それにより、以下に説明されるように、挿入具３の利用の間の第１又は第２の中空部３２、３３の最上部の中空部における集められた液体が、カップ２において液体を受容するため、排液口３４を通ってカップ２の空洞８へと排出されるようにする。
【００３３】
２つの装着隆起部１７は、直径方向に対置されて延在する。各装着隆起部１７は、第１の延長周縁２２と第２の延長周縁２３との間で円周状に延在する窪み２４から延在するように形成され、各装着隆起部１７の離れた端部は、第１及び第２の周辺端部２５及び２８の両方の径方向端部を越えて延在し、それにより各装着隆起部１７が、以下に説明されるように、挿入具３がカップ２に配置されたときの、カップ２の内面から第１及び第２の周辺端部２５及び２８の一方までの所定の距離を定義する。各装着隆起部１７の離れた端部は丸くされ、それにより、各離れた端部が、カップ２の内面のまわりに延在するように形成された円周状に延在する窪み１６において回転可能とされる。
【００３４】
位置決め部３６が、第１及び第２の延長周縁２２及び２３の第１及び第２の周辺端部２５及び２８から延在する。第１の周辺端部２５は、直立し該端部２５から外側に延在する２つの屈曲した径方向に対置された位置決め部３６を含む。同様に、第２の周辺端部２８は、直立し該端部２８から外側に延在する２つの屈曲した径方向に対置された位置決め部３６を含む。
【００３５】
第１の延長周縁２２の内面２６に一対の結節３７が形成され、第２の延長周縁２３の内面２９には単一の結節が形成される。結節３７及び３８は、利用の間のカップ２における挿入具３の向きを示し、それにより、以下に明らかとなるように、利用の間のカップ２の空洞８からの達成可能な液体の流量を示す。
【００３６】
カップ２における上述の実施例による挿入具３の使用は、以下に図を参照しながら説明される。
【００３７】
ユーザは、カップ２に形成された空洞８に液体を注ぎ、挿入具３がカップ２に挿入される。径方向に対置された装着隆起部１７の離れた端部は、カップ２の内面１２に形成された円周状に延在する窪み１６にクリップ留めされる。挿入具３は、内面１２のまわりに延在する円周状に延在する窪み１６のため、いずれの方向にも挿入されることができる。隆起部１７が窪み１６に配置される場合、該挿入具は、該カップにおける隆起部１７により定義される軸のまわりに回転することができる。本構成の他の利点は、該挿入具が該カップから取り外し可能である点であり、必要であれば、該カップ及び該挿入具が容易に洗浄及び消毒されることができる。
【００３８】
カップ２は上端において外向きに広がっているため、挿入具３は該カップの空洞８に装着可能であるが、空洞８に過度に挿入されないよう制限される。挿入具３は、成形されたプラスチック材料から形成されるが、挿入具３はいずれの適切な無毒材料から形成されても良いことは理解されるであろう。
【００３９】
挿入具３は、位置決め部３６により、自由に回転しないよう制限される。位置決め部３６は、挿入具３が回転させられると、カップ２の内面１２上に形成された円周状に延在する突起１４に対して配置される。挿入具３は、２つの向きに固定的に配置可能である。即ち、挿入具３の第２の面２０が該カップの空洞８の外へと最上部で向き且つ第１の周辺端部２５が空洞８に向く第１の向きと、挿入具３の第１の面１９がカップ２の空洞の外に最上部で向き且つ第２の周辺端部２８空洞８に向く第２の向きと、である。
【００４０】
第１の向きにおいては、第１の端部２５は、カップ２の内面１２に近いが、該内面からは第１の所定の距離だけ離隔される。第１の端部２５から延在する位置決め部３６は、円周状に延在する突起１４に対して配置され、従って該挿入具は縁６の下においてカップ２に固定的に装着される。
【００４１】
乳幼児が該カップを持ち口のほうに傾けると、液体がカップ２の縁６に向かって流れる。挿入具３は、該カップの空洞８において、該空洞中の液体の上に配置されるため、カップ２からの液体の流れは、挿入具３の第１の周辺端部２５とカップ２の隣接する内面１２との間の小さな隙間のため、該挿入具によって制限される。
【００４２】
該カップの輪郭のため、とりわけ縁６に向かって外向きに広がる内面のため、該挿入具が該カップにおいて第１の向きをとる場合、該カップの内面１２と第２の端部２８との間の距離は、内面１２と第１の端部２５との間の距離よりもかなり大きく、そのため流量は、該カップの内面１２と第１の端部２５との間の所定の距離により定義される。第１の端部２５と内面１２との間の距離は、対応するカップ２の内面１２及び挿入具３の第１の周辺端部２５の形状のため、挿入具３のまわりに円周方向に均一であり、従って流量は、乳幼児が飲む際の縁６における位置にかかわらず、一定の流量に制限される。
【００４３】
挿入具３がカップ２に配置されるときの挿入具３の第１の向きにおいては、カップ２からの液体の流れは、第１の流量に制限される。この場合ユーザは、カップ２における挿入具を回転させるために、装着隆起部１７に対して遠位の、該挿入具の第１及び第２の面１９及び２０の最上部の周縁部を押すことにより、流量を変更することができる。位置決め部３６は挿入具３及び／又はカップ２の弾力性のため、円周状に延在する突起１４に嵌合し、挿入具３は、第１の向きから第２の向きへと、径方向に対置された隆起部１７により定義される軸のまわりに自由に回転し、ここで第２の面２０は最上部であり、第２の周辺端部２８は空洞８のほうを向く。第２の端部２８から延在する位置決め部３６は、突起１４上で弾性的に変形し、挿入具３の回転を制限するように配置され、それにより挿入具３は第２の向きで固定的に配置される。
【００４４】
乳幼児が該カップを持ち口のほうに傾けると、液体がカップ２の縁６に向かって流れる。挿入具３は、該カップの空洞８において、空洞８中の液体の上に第２の向きで配置されるため、カップ２からの液体の流れは、挿入具３の第２の周辺端部２８とカップ２の隣接する内面１２との間の小さな隙間のため、該挿入具によって制限される。
【００４５】
該カップの輪郭のため、とりわけ縁６に向かって外向きに広がる内面のため、該挿入具が該カップにおいて第１の向きをとる場合、該カップの内面１２と第１の端部２５との間の距離は、内面１２と第２の端部２８との間の距離よりもかなり大きく、そのため流量は、該カップの内面１２と第２の端部２８との間の所定の距離により定義される。第２の端部２８と内面１２との間の距離は、対応するカップ２の内面１２及び挿入具３の第２の周辺端部２８の形状のため、挿入具３のまわりに円周方向に均一であり、従って流量は、乳幼児が飲む際の縁６における位置にかかわらず、一定の流量に制限される。
【００４６】
挿入具３がカップ２に配置されるときの挿入具３の第２の向きにおいては、カップ２からの液体の流れは、第２の流量に制限される。
【００４７】
カップ２から液体を飲む間、挿入具３の第１又は第２の中空部３２、３３のいずれかにこぼれた液体は、排液口３４を通して空洞８へと自由に戻される。更に、該カップがひっくり返された場合には、該挿入具が適所にあれば、空洞８からの液体の流れは該挿入具により制限され、従ってこぼれの度合いは制限される。
【００４８】
第１の流量又は第２の流量のいずれであっても、所望の流量は、カップ２において第１又は第２の向きに挿入具３を向けることによって定義される。該カップの向きは、挿入具３の向きに依存して可視となる内面２６、２９における隆起部により示される。
【００４９】
それ故、カップ２の空洞からの液体の３つの流量が実現可能である。第１の流量は、該挿入具がカップ２に第１の向きで配置され第１の周辺端部が最下部である場合であり、第２の流量は、該挿入具がカップ２に第２の向きで配置され第２の周辺端部が最下部である場合であり、第３の流量は、該挿入具が該カップから取り外され該カップが通常の飲料ビーカーとして利用可能である場合である。
【００５０】
上述の実施例においては、第１の周辺端部２５の半径は第２の周辺端部２８の半径よりも小さく、従って挿入具３の第１の端部２５と該カップの内面１２との間の所定の距離は、第２の向きにおけるよりも第１の向きにおいて大きいが、本発明はこれに限定されるものではなく、内面１２と関連する周辺端部２５、２８との間の所定の距離は、代替可能な態様で変更されても良いことは理解されるであろう。例えば、代替実施例においては、第１及び第２の延長周縁２２及び２３の深さは異なっていても良く、そのため円板１８と第１及び第２の周辺端部２５及び２８のそれぞれとの間の距離が異なり、従って第１及び第２の周辺端部２５及び２８のそれぞれと第１及び第２の向きにおける内面１２との間の距離が、内面１２の傾きのため異なっても良い。
【００５１】
以上の構成の利点は、該挿入具が取り外されることができ、それにより乳幼児が通常の飲料ビーカーの態様で該カップから飲むことができる点である。更に、乳幼児は、該挿入具がカップ２に配置されているか否かにかかわらず、カップ２の縁のまわりのどこからでも飲むことができる。なぜなら、該挿入具は、該カップの縁７の下であって且つ該カップに含まれる液体よりも上に位置するからである。
【００５２】
上述の実施例においては、該挿入具を該カップに配置するための装着手段は、２つの径方向に対置された隆起部を有したが、本発明はこれに限定されるものではなく、装着手段は、該挿入具の周辺端部が該カップの内面から所定の距離だけ離隔されることを可能とするいずれの手段であっても良いことは理解されるであろう。
【００５３】
上述の実施例は、挿入具３が該挿入具のまわりに延在する第１及び第２の周辺端部２５及び２８を持ち、該端部がカップ２における該挿入具の向きに依存して挿入具３とカップ２の内面１２との間の所定の距離を定義するものとして説明されたが、代替実施例においては、挿入具３が、単一の縁と、該縁からの液体の流れを制限するためカップに挿入可能な周縁部とを有することは、理解されるであろう。本実施例においては、カップ２から該挿入具を取り外すことなく、該カップに液体を注ぐことを支援するため、該挿入具は回転可能である。代替としては、装着手段が、カップ２において挿入具３を固定的に配置するための複数の隆起部を有しても良い。
【００５４】
以上の特定の説明においては、カップ２の窪み１６及び突起１４は該カップのまわりに円周状に延在しているが、代替実施例においては、窪み１６が、装着隆起部１７の端部を受容するための、カップ２の内面１２のまわりの所定の位置に配置された複数の凹部（図示されていない）により置き換えられることは、理解されるであろう。例えば、代替実施例においては、２つの径方向に対置された円形の凹部（図示されていない）がカップの内面１２に形成され、挿入具３から延在する２つの径方向に対置された隆起部１７を受容する。同様に、代替実施例においては、円周状に延在する突起１４は、内面１２から突出する２つの径方向に対置された棚部（図示されていない）により置き換えられる。
【００５５】
以上の説明においては挿入具３は円形であるが、該挿入具はこれに限定されるものではなく、挿入具３はいずれの適切な形状をとっても良いことは理解されるであろう。
【００５６】
本実施例においては挿入具３がカップ２から取り外し可能であるが、代替実施例においては、該挿入具は該カップに固定的に装着され、該挿入具が、径方向に対置された隆起部により定義される軸のまわりに回転可能であることは理解されるであろう。
【００５７】
本願において請求項は特定の特徴の組み合わせに対して記載されているが、本発明の開示の範囲は、いずれかの請求項において現在記載されているものと同じ発明に関するものであるか否かにかかわらず、また本発明と同じ技術的問題のいずれか又は全てを軽減するか否かにかかわらず、明示的又は暗黙的にここで開示されたいずれの新規な特徴若しくはいずれの新規な特徴の組み合わせ又はそのいずれかの一般化をも含むことは理解されるべきである。ここで本出願人は、本出願又は本出願から導かれるいずれかの更なる出願の手続きの間に、斯かる特徴及び／又は斯かる特徴の組み合わせに対して、新たな請求項が作成され得ることを注記しておく。
【図１】
0005815413.tif 000002
【図２】
0005815413.tif 000003
【図３】
0005815413.tif 000004
【図４】
0005815413.tif 000005
【図５】
0005815413.tif 000006
【図６】
0005815413.tif 000007
【図７】
0005815413.tif 000008